(57)【要約】【課題】快適性の優れた高分子発熱体を提供することを目的とするもので、特に人体と接触する場合の接触面側の保温性を保ち、発汗時のひんやり感を軽減する。【解決手段】ベース側樹脂フィルム２とカバー側樹脂フィルム３に狭持してなる一対の電極４と、該一対の電極間に形成された抵抗体５とを備えた高分子発熱体において、前記ベース側樹脂フィルム２及び／または前記カバー側樹脂フィルム３の外表部を、吸水性ポリエステル繊維６により被覆してなることを特徴とする高分子発熱体１。【選択図】図１
2008041353.tif 000002
【特許請求の範囲】
【請求項１】
ベース側樹脂フィルムとカバー側樹脂フィルムに狭持してなる一対の電極と、該一対の電極間に形成された抵抗体とを備えた高分子発熱体において、前記ベース側樹脂フィルム及び／または前記カバー側樹脂フィルムの外表部を、吸水性ポリエステル繊維により被覆することを特徴とする高分子発熱体。
【請求項２】
前記吸水性ポリエステル繊維が、多層構造を有する請求項１記載の高分子発熱体。
【請求項３】
前記吸水性ポリエステル繊維の外表面が、撥水層を有する請求項１または２に記載の高分子発熱体。
【請求項４】
前記吸水性ポリエステル繊維において、外表面側が内側に比べて高い繊維密度である請求項１〜３のいずれか１項に記載の高分子発熱体。
【請求項５】
前記吸水性ポリエステル繊維が、吸水により繊維が伸長し、乾燥すると収縮する伸縮作用を有する請求項１記載の高分子発熱体。
【請求項６】
前記吸水性ポリエステル繊維が、ポリエーテルエステル系ポリマーである請求項５記載の高分子発熱体。
【請求項７】
前記ベース側樹脂フィルム及び／または前記カバー側樹脂フィルムと、前記吸水性ポリエステル繊維が両面テープにより接着してなる請求項１〜６項のいずれか１項に記載の高分子発熱体。
【請求項８】
前記両面テープが不織布を含む請求項１〜７項のいずれか１項に記載の高分子発熱体。
【請求項９】
前記吸水性ポリエステル繊維により被覆された高分子発熱体が、該発熱体を貫通する複数の開口部を備える請求項１〜８のいずれか１項に記載の高分子発熱体。
【発明の詳細な説明】
【技術分野】
【０００１】
本発明は、高分子抵抗体のジュール熱を利用した高分子発熱体に関し、更に詳しくは、肌に直接接触するような使い方の場合でも高い快適性を得ることのできる高分子発熱体に関するものである。
【背景技術】
【０００２】
従来から面状発熱体の発熱部として、カーボンブラックや金属粉末、グラファイトなどの導電性物質を樹脂に分散して得られたものが知られている。なかでも導電性物質と樹脂の組合せにより、自己温度制御機能を示すＰＴＣ発熱体（正の抵抗温度特性を意味する英語Ｐｏｓｉｔｉｖｅ  Ｔｅｍｐｅｒａｔｕｒｅ  Ｃｏｅｆｆｉｃｉｅｎｔの略を意味する）を用いた場合には、温度制御回路が不要となり、部品点数を少なくできるなど、メリットのあるデバイスとして知られている。
【０００３】
これらの構成は、図５に示すように、セラミックや絶縁処理された金属板など、筺体構造としての機能を有するベース材４２上に、導電性インキ組成物を印刷、あるいは塗布して得られる電極４４と、これにより給電される位置に抵抗体インク組成物を印刷、あるいは塗布して得られる抵抗体４５を設け、さらに電極４４及び抵抗体４５を被覆するカバー材４３から発熱体４１を形成する。図５（ａ）は発熱体の平面図、図５（ｂ）は図５（ａ）のｘ−ｙ位置断面図である。電極４４及び抵抗体４５は、ベース材４２やカバー材４３により外界から隔離されるため、長期信頼性を付与されることとなる。
【０００４】
従来から、印刷により高分子抵抗体を形成してこれを発熱体として用いた例としては、露・霜除去用として自動車のドアミラーや洗面台のミラー、床暖房器具等がある（例えば特許文献１参照）。
【０００５】
さらにこれら発熱体を高分子フィルムや繊維状の柔軟性材料を用いて構成することにより柔軟性機能を付与させたものもあった（例えば特許文献２、３参照）。
【特許文献１】特開２００２−３７１６９９号公報
【特許文献２】特開２００３−１０９８０４号公報
【特許文献３】特開２００５−１７４６２９号公報
【発明の開示】
【発明が解決しようとする課題】
【０００６】
従来の発熱体では柔軟性を発現させるための構成材料として、発熱体を保護、被覆する役目と風合いなどを考慮して一般的な織布や不織布などが多用されていた。例えば座席ヒーターなどに用いられる場合は、織布や不織布で被覆された発熱体はさらにクッション材などを介し、人体と接触する場合が多かった。しかしながら人体に直接接触する部位への応用も今後、益々増大することから、更なる快適性、肌触り性にも考慮した材質を選択する必要がある。
【０００７】
特に発熱体を接触させた部位では、これら発熱体により人体が温められることによって、発汗が生じ、吸水性の充分でない材質の場合は、かえって保温性能を低下させるなどの問題があった。
【０００８】
上記従来の技術の問題点に鑑み、本発明が解決しようとする課題は、快適性の優れた高分子発熱体を提供することを目的とするもので、特に人体と接触する場合の接触面側の保温性を保ち、発汗時のひんやり感の軽減を、組成や構成を検討することにより有効となる
ことを見出したものである。
【課題を解決するための手段】
【０００９】
前記従来の課題を解決するための本発明の高分子発熱体は、ベース側樹脂フィルムとカバー側樹脂フィルムに狭持してなる一対の電極と、該一対の電極間に形成された抵抗体とを備えた高分子発熱体において、前記ベース側樹脂フィルム及び／または前記カバー側樹脂フィルムの外表部を、吸水性ポリエステル繊維により被覆してなるものである。
【００１０】
上記構成は、繊維自身の構造に工夫を加えることや、表面加工処理を施すことにより吸水性を示す繊維が容易に得られることを利用して、快適性を有する高分子発熱体を低コストで提供できることが特徴である。
【００１１】
本発明においては特に限定はしていないが、人体と直接接触する様な用途に用いられる発熱体に特に有効となるものである。
【００１２】
吸水性ポリエステル繊維としては、既に多くの樹脂、繊維メーカから提供されているものを用いることができる。例えばユニチカファイバー社製の「スイコム」は、ポリエステル系の繊維からなり、糸と糸のすき間を小さくして毛細管現象で水分を多く吸い上げ生地の外側に拡散させる仕組みを有するものであり、吸い込んだ汗などの水分が逆戻りしないように撥水層が形成されてなるものである。またヨネックス社製の「ナノスピードドライ」技術により得られるポリエステル性の繊維は、吸水層、ポンプアップ層、拡散層の三層構造を有し、吸水層で吸収された汗や水分などがポンプアップ層により毛細管現象で急速に吸い上げられ、更に拡散層で外部に拡散される仕組みを有する。東レ社製の「サラカラ」は、肌に触れる側が反対側に比べ繊維密度が高い、といった多層構造を有するポリエステル繊維からなり、水分や汗を素早く吸い上げ拡散できる。また表面には細かな凹凸が付いているためべたつくことがなく、また凹部には空気が滞留し保温性を高めることになる。帝人ファイバー社製のポリエーテルエステル系からなる「ＭＲＴファイバー」は、吸水すると生地が一定方向に伸長するため、生地の形態が変化し、肌に直接触れる表面部分のべとつき感と冷え感が解消される仕組みを有している。
【００１３】
発熱体の構成材料であるベース側樹脂フィルムやカバー側の樹脂フィルムにそれら吸水性ポリエステル繊維を接合する方法としては、フィルムをＴダイ法などにより押出し成形した際にこれらポリエステル繊維に熱融着させる方法や、すでに完成させたフィルムとポリエステル繊維とを別途接着する方法などを挙げることができる。
【００１４】
電極及び抵抗体は、フィルム上に印刷などによって直接成形しても良い。柔軟性を示すフィルムとしては、フィルムの樹脂組成物中にエラストマー成分を含む場合が好ましい。具体的にはオレフィン系熱可塑性樹脂エラストマーに分類される樹脂組成物や熱可塑性ポリエステルの共重合体成分などを挙げることができる。これらエラストマー成分や共重合体成分をブレンドすることにより、絶縁性などの機能は損なわれることなく、適度な柔軟性を保持させることができる。また本発明においては、フィルムを一層ではなく、複数層の重ねあわせにより得ることも可能である。
【発明の効果】
【００１５】
本発明の高分子発熱体は、樹脂、繊維ベースで作成した発熱体に対して、従来の柔軟性や風合いを損なうことなく、さらに快適性の高いデバイスを提供することが可能となるため、従来の構成や組成では限定されていた用途を一気に拡大でき、また量産性に優れた商品を安価に提供できることとなる。
【発明を実施するための最良の形態】
【００１６】
第１の発明は、ベース側樹脂フィルムとカバー側樹脂フィルムに狭持してなる一対の電極と、該一対の電極間に形成された抵抗体とを備えた高分子発熱体において、前記ベース側樹脂フィルム及び／または前記カバー側樹脂フィルムの外表部を、吸水性ポリエステル繊維に被覆してなり、快適性に優れた発熱体を提供できる。
【００１７】
第２の発明は、吸水性ポリエステル繊維が、多層構造を有するものであり、水分や汗などを効率良く吸収した後拡散させることができるため、吸水機能性に優れた発熱体を得ることができる。
【００１８】
第３の発明は、特に第１及び第２のいずれか１つの発熱体において、吸水性ポリエステル繊維の外表面が、撥水層を有するため、一度吸い上げられた水分の逆戻りを防ぐことが可能となり、発熱体の表面はさらっとした感触感を保つことができる。
【００１９】
第４の発明は、特に第１〜第３のいずれか１つの発明の発熱体において、吸水性ポリエステル繊維の外表面側が内側に比べて高い繊維密度となっており、汗や水分を素早く吸収すると直ちに内側に移動、拡散することができるため、べたつき感のない発熱体を提供できる。
【００２０】
第５の発明は、特に第１の発明の発熱体において、吸水性ポリエステル繊維が、吸水により繊維が伸長し、乾燥すると収縮する伸縮作用を有することにより、水分に反応した際には乾燥時に比べ凹凸が発現されることになり、べとつき感を低減することができ、さらにはその凹凸によって空間ができるため保温性を保持することができる。
【００２１】
第６の発明は、特に第５の発明の発熱体において、吸水性ポリエステル繊維が、ポリエーテルエステル系ポリマーであることにより生地の形状変化を調整できる自己調整機能を発現でき、快適性に優れた発熱体を提供することができる。
【００２２】
第７の発明は、特に第１〜第６のいずれか１つの発明の発熱体において、ベース側樹脂フィルム及び／またはカバー側樹脂フィルムと、吸水性ポリエステル繊維が両面テープにより接着してなり、容易な工法により発熱体を製造することができる。
【００２３】
第８の発明は、特に第１〜第７のいずれか１つの発明の発熱体において、両面テープが不織布を含み、この不織布の部分で吸収した水分を徐々に発散させることができ、快適性と耐久性に優れた発熱体を得ることができる。
【００２４】
第９の発明は、特に第１〜第８のいずれか１つの発明の発熱体において、吸水性ポリエステル繊維により被覆された高分子発熱体が、該発熱体を貫通する複数の開口部を備えるものであり、開口部の端面部分から吸収した水分を徐々に発散させることができるとともに、発熱体に加えられる様々な応力をこの開口部で逃がすことができ、人体に装着させた場合にもつっぱり感なく接触させることができる。
【００２５】
以下、本発明の実施の形態について、図面を参照しながら説明する。なお、この実施の形態によって本発明が限定されるものではない。
【００２６】
（実施の形態１）
図１は、本実施の形態における高分子発熱体の概略切り欠き構成図を示すものであり、図１（ａ）は平面図、図１（ｂ）は（ａ）のｘ−ｙ断面図である。図１において、発熱体１の構成は以下の通りである。
【００２７】
ベース側樹脂フィルム２は、シート押出成形装置を用いて、吸水性ポリエステル繊維６
上に熱融着により作成したもので、オレフィン系の熱可塑性樹脂（ＰＰと優れた相溶性を示すＰＰの軟質化材を含む樹脂）と、耐熱性を発現させるための熱可塑性樹脂（エチレン及びプロピレンを直接反応させて得られた重合型ＴＰＯ）と、電極や抵抗体との接触特性が良好となるオレフィン系の接着性樹脂（無水マレイン酸成分を含むエチレン成分を含む樹脂）の混練物からなり、合計３種の樹脂ブレンドからなるフィルムで、貼り合わせ後のフィルムの厚みとしては５０−６０ミクロンのものを得た。
【００２８】
吸水性ポリエステル繊維６は、ユニチカファイバー社製の吸汗速乾機能を有するポリエステル繊維（スイコム）を用いた。本吸水性ポリエステル繊維６は、ポリエステル系の繊維からなり、糸と糸のすき間を小さくして毛細管現象で水分を多く吸い上げ生地の外側に拡散させる仕組みを有するものであり、吸い込んだ汗などの水分が逆戻りしないように撥水層が形成されている。撥水層のない部分から汗を吸い、層中に拡散させる。撥水層のある部分には一度吸収された水分は浸透しないのでさらっとした感触を保つことができる。
【００２９】
この一体化された吸水性ポリエステル繊維６に熱融着されたベース側樹脂フィルム２上に銀ペーストの印刷・乾燥により一対の電極４と、電極４により給電される位置にＰＴＣ抵抗体インクの印刷・乾燥により抵抗体５を作製した。抵抗体は、発熱温度が約４０℃程度に成るように作製されており、エチレン酢酸ビニル共重合体を２種類組み合わせ、カーボンブラックを混練・架橋したものにアクリロニトリルブチルゴムをバインダーとして溶剤でインク化することにより得た。
【００３０】
カバー側樹脂フィルム３は、ベース側樹脂フィルム２と同様の樹脂組成物であり、上述した方法により剥離紙の上にフィルムを作成した。この剥離紙を剥がした上で、上述した電極４及びＰＴＣ抵抗体５に貼り合わせ、発熱体１を作成した。
【００３１】
ベース側樹脂フィルム２の外側に貼りあわせた吸水性ポリエステル繊維６のあるほうの側を肌に直接接触するように配したところ、長時間発熱体を装着しても、ドライ感、快適感は維持されることがわかった。
【００３２】
（実施の形態２）
図２は、本実施の形態における高分子発熱体の概略切り欠き構成図を示すものであり、図２（ａ）は平面図、図２（ｂ）は（ａ）のｘ−ｙ断面図である。図２において、発熱体１１の構成は以下の通りである。
【００３３】
ベース側樹脂フィルム２は、シート押出成形装置を用いて、吸水性ポリエステル繊維１６上に熱融着により作成したもので、オレフィン系の熱可塑性樹脂（ＰＰと優れた相溶性を示すＰＰの軟質化材を含む樹脂）と、耐熱性を発現させるための熱可塑性樹脂（エチレン及びプロピレンを直接反応させて得られた重合型ＴＰＯ）と、電極や抵抗体との接触特性が良好となるオレフィン系の接着性樹脂（無水マレイン酸成分を含むエチレン成分を含む樹脂）の混練物からなり、合計３種の樹脂ブレンドからなるフィルムで、貼り合わせ後のフィルムの厚みとしては５０−６０ミクロンのものを得た。
【００３４】
吸水性ポリエステル繊維１６は、ヨネックス社製の「ナノスピードドライ」技術により得られるポリエステル性の繊維を用いた。本ポリエステル性繊維は、吸水層、ポンプアップ層、拡散層の三層構造を有し、それぞれの層で含むことのできる水分量を段階的に変えることにより汗や水分を効率よく吸い上げて拡散することができる。具体的には吸水層で吸収された汗や水分などがポンプアップ層により毛細管現象で急速に吸い上げられ、更に拡散層で外部に拡散される仕組みを有する。
【００３５】
この一体化された吸水性ポリエステル繊維１６に熱融着されたベース側樹脂フィルム２
上に銀ペーストの印刷・乾燥により一対の電極４と、電極４により給電される位置にＰＴＣ抵抗体インクの印刷・乾燥により抵抗体５を作製した。抵抗体は、発熱温度が約４０℃程度に成るように作製されており、エチレン酢酸ビニル共重合体を２種類組み合わせ、カーボンブラックを混練・架橋したものにアクリロニトリルブチルゴムをバインダーとして溶剤でインク化することにより得た。
【００３６】
カバー側樹脂フィルム３は、ベース側樹脂フィルム２と同様の樹脂組成物であり、上述した方法により吸水性ポリエステル繊維１６の上にフィルムを作成した。これを述した電極４及びＰＴＣ抵抗体５に貼り合わせ、発熱体１１を作成した。
【００３７】
本発熱体１１の両面は、どちらも吸水性ポリエステル繊維１６で被覆されており、長時間発熱体を装着しても、ドライ感、快適感は維持されることがわかった。
【００３８】
（実施の形態３）
図３は、本実施の形態における高分子発熱体の概略切り欠き構成図を示すものであり、図３（ａ）は平面図、図３（ｂ）は（ａ）のｘ−ｙ断面図である。図３において、発熱体２１の構成は以下の通りである。
【００３９】
ベース側樹脂フィルム２は、インフレーション法を用いて作成したもので、オレフィン系の熱可塑性樹脂（ＰＰと優れた相溶性を示すＰＰの軟質化材を含む樹脂）と、耐熱性を発現させるための熱可塑性樹脂（エチレン及びプロピレンを直接反応させて得られた重合型ＴＰＯ）と、電極や抵抗体との接触特性が良好となるオレフィン系の接着性樹脂（無水マレイン酸成分を含むエチレン成分を含む樹脂）の混練物からなり、合計３種の樹脂ブレンドからなるフィルムで、貼り合わせ後のフィルムの厚みとしては６０−７０ミクロンのものを得た。
【００４０】
このベース側樹脂フィルム２上に銀ペーストの印刷・乾燥により一対の電極４と、電極４により給電される位置にＰＴＣ抵抗体インクの印刷・乾燥により抵抗体５を作製した。抵抗体は、発熱温度が約４０℃程度に成るように作製されており、エチレン酢酸ビニル共重合体を２種類組み合わせ、カーボンブラックを混練・架橋したものにアクリロニトリルブチルゴムをバインダーとして溶剤でインク化することにより得た。
【００４１】
カバー側樹脂フィルム３は、ベース側樹脂フィルム２と同様の樹脂組成物であり、上述した方法によりフィルムを得、これを述した電極４及びＰＴＣ抵抗体５に貼り合わせた。
【００４２】
さらにベース側樹脂フィルム２とカバー側樹脂フィルム３の外側を、吸水性ポリエステル繊維２６として、東レ社製のポリエステル繊維「サラカラ」を用いて被覆した。本ポリエステル性繊維は、肌に触れる側が反対側に比べ繊維密度が高い、といった多層構造を有するため、水分や汗を素早く吸い上げ拡散できる。また表面には細かな凹凸が付いているためべたつくことがなく、また凹部には空気が滞留し保温性を高めることができる。なお、ベース側樹脂フィルム２及びカバー側樹脂フィルム３と吸水性ポリエステル繊維２６は、両面テープ２７を用いることにより貼りあわせ、発熱体２１を得た。なお両面テープ２７として、アクリル系粘着剤と不織布の層構造からなるＮｏ．５０１Ｆ（日東電工社製）を用いた。
【００４３】
本発熱体２１の両面は、どちらも吸水性ポリエステル繊維２６で被覆されており、長時間発熱体を装着しても、ドライ感、快適感は維持され、また保温性も良好であることがわかった。
【００４４】
（実施の形態４）
図４は、本実施の形態における高分子発熱体の概略切り欠き構成図を示すものであり、図４（ａ）は平面図、図４（ｂ）は（ａ）のｘ−ｙ断面図である。図４において、発熱体３１の構成は以下の通りである。
【００４５】
ベース側樹脂フィルム２は、インフレーション法を用いて作成したもので、オレフィン系の熱可塑性樹脂（ＰＰと優れた相溶性を示すＰＰの軟質化材を含む樹脂）と、耐熱性を発現させるための熱可塑性樹脂（エチレン及びプロピレンを直接反応させて得られた重合型ＴＰＯ）と、電極や抵抗体との接触特性が良好となるオレフィン系の接着性樹脂（無水マレイン酸成分を含むエチレン成分を含む樹脂）の混練物からなり、合計３種の樹脂ブレンドからなるフィルムで、貼り合わせ後のフィルムの厚みとしては６０−７０ミクロンのものを得た。
【００４６】
このベース側樹脂フィルム２上に銀ペーストの印刷・乾燥により一対の電極４と、電極４により給電される位置にＰＴＣ抵抗体インクの印刷・乾燥により抵抗体５を作製した。抵抗体は、発熱温度が約４０℃程度に成るように作製されており、エチレン酢酸ビニル共重合体を２種類組み合わせ、カーボンブラックを混練・架橋したものにアクリロニトリルブチルゴムをバインダーとして溶剤でインク化することにより得た。
【００４７】
カバー側樹脂フィルム３は、ベース側樹脂フィルム２と同様の樹脂組成物であり、上述した方法によりフィルムを得、これを述した電極４及びＰＴＣ抵抗体５に貼り合わせた。
【００４８】
さらにベース側樹脂フィルム２とカバー側樹脂フィルム３の外側を、吸水性ポリエステル繊維３６として、帝人ファイバー社製のポリエステル繊維「ＭＲＴファイバー」を用いて被覆した。本ポリエステル性繊維は、吸水すると生地が一定方向に伸長するため、生地の形態が変化し、肌に直接触れる表面部分のべとつき感と冷え感が解消される仕組みを有している。本ポリエステル性繊維はポリエーテルエステル系ポリマーからなり、水分環境により生地の形態と通気度を調節できる自己調節機能を有するものである。
【００４９】
なお、ベース側樹脂フィルム２及びカバー側樹脂フィルム３と吸水性ポリエステル繊維３６は、両面テープ３７を用いることにより貼りあわせ、発熱体３１を得た。なお両面テープ３７として、アクリル系粘着剤とポリエステルフィルム基材の層構造からなるＮｏ．５６０１（日東電工社製）を用いた。
【００５０】
さらに本発熱体３１においては、図４（ａ），（ｂ）にも図示する様に、上下のポリエステル繊維層を貫通する開口部３８としてスリットを設けることにより、更に柔軟性を発揮させる工夫を施した。結果、本発熱体３１は、吸水性ポリエステル繊維３６で被覆されており、長時間発熱体を装着しても、ドライ感、快適感は維持され、また保温性も良好であり、かつ適度な柔軟性を示すことがわかった。
【産業上の利用可能性】
【００５１】
以上のように、本発明にかかる発熱体は、快適性と柔軟性を併せ持つ発熱体を提供できるので、座席ヒーター以外にも、直接人体に接触させて用いるようなサポータ様のヒーター等への応用展開が可能となる。
【図面の簡単な説明】
【００５２】
【図１】（ａ）本実施の形態１における発熱体の構成を示す切り欠き平面図（ｂ）同発熱体の断面図
【図２】（ａ）本実施の形態２における発熱体の構成を示す切り欠き平面図（ｂ）同発熱体の断面図
【図３】（ａ）本実施の形態３における発熱体の構成を示す切り欠き平面図（ｂ）同発熱体の断面図
【図４】（ａ）本実施の形態４における発熱体の構成を示す切り欠き平面図（ｂ）同発熱体の断面図
【図５】（ａ）従来の発熱体を示す平面図（ｂ）同発熱体の断面図
【符号の説明】
【００５３】
１，１１，２１，３１，４１  発熱体
２  ベース側樹脂フィルム
３  カバー側樹脂フィルム
４  電極
５  抵抗体
６，１６，２６，３６  吸水性ポリエステル繊維
２７，３７  両面テープ
３８  開口部
４２  ベース材
４３  カバー材
４４  電極
４５  抵抗体
【図１】
2008041353.tif 000003
【図２】
2008041353.tif 000004
【図３】
2008041353.tif 000005
【図４】
2008041353.tif 000006
【図５】
2008041353.tif 000007